(57)【要約】  スポーツ用具のためのキャリングバッグは、スポーツ用具を収容するのに適した区画と、そのバッグから離れた所へスポーツボールを発射するように構成された自動発射装置と、を備える。
2021504092.tif 000002
【特許請求の範囲】
【請求項１】
スポーツ用具のためのキャリングバッグであって、
スポーツ用具を収容するのに適した区画と、
前記バッグから離れた所へスポーツボールを発射するように構成された自動発射装置と、
を備える、スポーツ用具のためのキャリングバッグ。
【請求項２】
ａ．複数のテニスボールを収容するのに適したテニスボールホッパー区画であって、当該区画の底部側に開口部を有する、テニスボールホッパー区画と、
ｂ．取り外し可能な第２の内部テニスバッグ内に１又は複数のテニスラケットを収容するのに適した、テニスラケット区画と、
ｃ．前記自動発射装置を収容する、自動発射装置区画と、
ｄ．制御された態様で前記自動発射装置の装填側にボールを装填するための、ボール整理装置と、
ｅ．前記自動発射装置及び前記ボール整理装置の、動作を制御するのに適した、制御パネルと、
ｆ．前記キャリングバッグを運べるようにするショルダストラップと、
を備え、
前記自動発射装置は、装填セクション及び放出セクションを備え、
テニスボールは、前記ボール整理装置によって、前記ボールホッパー区画から、前記自動発射装置の前記装填セクションに、自動的に送られて、前記装填セクションから、前記放出セクションを通って、離れた所へ、自動的に発射される、
請求項１に記載のキャリングバッグ。
【請求項３】
前記自動発射装置は、電気的に回転可能なフライホイールを備える、
請求項２に記載のキャリングバッグ。
【請求項４】
前記自動発射装置からボールが発射される方向を決定するように構成された、発射角度機構をさらに備える、
請求項２に記載のキャリングバッグ。
【請求項５】
前記発射角度機構は、前記制御パネルによって電子的に制御される偏向部材である、
請求項４に記載のキャリングバッグ。
【請求項６】
遠方から与えられた制御コマンドを検知するように構成された１又は複数のセンサをさらに備える、
請求項２に記載のキャリングバッグ。
【請求項７】
電子計算デバイスと無線通信するように構成された無線通信モジュールをさらに備える、
請求項２に記載のキャリングバッグ。
【請求項８】
前記バッグの両側にある車輪と、
前記キャリングバッグをカートのように運ぶための伸長可能なハンドルと、
をさらに備える、
請求項２に記載のキャリングバッグ。
【請求項９】
Ａ．外部硬質ケースシャーシ構造と、
Ｂ．外部構造に取り付けられ、前記発射装置及び前記ボール整理装置を所定の位置に保
持し、前記区画の間を仕切り、前記バッグがつぶれることを防止する、内部構造と、
Ｃ．前記区画のすべてを収容し、内部を進入から保護し、前記バッグを手で扱うための人間工学的手段を提供する、外部布と、
を備える、
請求項２に記載のキャリングバッグ。
【請求項１０】
格納可能な「手押し車」型のハンドルをさらに備え、前記バッグを車輪で移動することを可能にする、
請求項２に記載のキャリングバッグ。
【請求項１１】
前記バッグを運び、手で扱うための布ストラップをさらに備える、
請求項２に記載のキャリングバッグ。
【請求項１２】
地面との４接点の基部をさらに備える、
請求項２に記載のキャリングバッグ。
【請求項１３】
前記発射装置の前方放出セクションと前記バッグの車輪の軸との間の距離は、前記バッグが発射力に耐えることができるように、前記発射力の水平成分、及び前記バッグの重量を考慮して選択される、
請求項８に記載のキャリングバッグ。
【発明の詳細な説明】
【技術分野】
【０００１】
本発明は、スポーツ練習装備品の分野に関する。より詳細には、本発明は、テニストレーニング用具、特にテニスボール発射装置のための、携帯用キャリングバッグに関する。
【背景技術】
【０００２】
スポーツの練習、例えばテニスの練習のための用具を運ぶとき、用具の各物品（例えば、１又は複数のラケット及び複数のテニスボール）を別々に運ぶのは不便である。テニスバッグ及びバックパックは、典型的には、ラケット及びテニスボールを運ぶために使用される。他のバッグには、とりわけ、野球バッグ及びゴルフバッグが含まれる。
【０００３】
スポーツのトレーニングセッションの重要な側面は、対戦相手との試合のためにトレーニング者を準備することである。試合をシミュレートするために、自動ボール発射デバイスによって、トレーニング者は、対戦相手のプレーをシミュレートした態様で自動的に発射されるボールに、対応するように挑まれることができる。いくつかの市販の自動ボール発射デバイスが存在するが、それらは、一般にかさばり、重く、かつそのためにある場所から別の場所へ（例えば、家からトレーニング場／コートへ）運ぶのに不便である。
【０００４】
米国特許出願公開第２０１６／０３１０８１７号明細書は、容易に保管し運ぶために十分に小さく軽量なスポーツ・シミュレーション・ロボットを開示しているが、そのように保管し運ぶためには、そのスポーツ・シミュレーション・ロボットを分解して折りたたまなければならない。明らかに、米国特許出願公開第２０１６／０３１０８１７号明細書による先立って保管され運ばれたシミュレーションロボットを使用するには、組立てが必要である。
【０００５】
すぐに使用できる小さく軽量の自動ボール発射デバイスを含んでいる、軽量のスポーツ・トレーニング・バッグを持っていることが、有利である。
【発明の概要】
【０００６】
本発明の目的は、そのようなスポーツ・トレーニング・バッグを提供することである。
本発明の別の目的は、スポーツ・シミュレーション・ロボットが埋め込まれたスポーツ・トレーニング・バッグを提供することである。
本発明の他の目的及び利点は、説明が進むにつれて明らかになるであろう。
【０００７】
本発明は、スポーツ用具のためのキャリングバッグであって、スポーツ用具を収容するのに適した区画と、前記バッグから離れた所へスポーツボールを発射するように構成された自動発射装置と、を備える、スポーツ用具のためのキャリングバッグに関する。
【０００８】
本発明の実施形態によれば、前記キャリングバッグは、
ａ．複数のテニスボールを収容するのに適したテニスボールホッパー区画であって、当該区画の底部側に開口部を有する、テニスボールホッパー区画と、
ｂ．取り外し可能な第２の内部テニスバッグ内に１又は複数のテニスラケットを収容するのに適した、テニスラケット区画と、
ｃ．前記自動発射装置を収容する、自動発射装置区画と、
ｄ．制御された態様で前記自動発射装置の装填側にボールを装填するための、ボール整理装置と、
ｅ．前記自動発射装置及び前記ボール整理装置の、動作を制御するのに適した、制御パネルと、
ｆ．前記キャリングバッグを運べるようにするショルダストラップと、
を備える。
ここで、前記自動発射装置は、装填セクション及び放出セクションを備え、
テニスボールは、前記ボール整理装置によって、前記ボールホッパー区画から、前記自動発射装置の前記装填セクションに、自動的に送られて、前記装填セクションから、前記放出セクションを通って、離れた所へ、自動的に発射される。
【０００９】
本発明の別の実施形態によれば、前記自動発射装置は、電気的に回転可能なフライホイールを備える。本発明のさらに別の実施形態によれば、前記キャリングバッグは、前記自動発射装置からボールが発射される方向を決定するように構成された、発射角度機構をさらに備える。本発明のさらに別の実施形態によれば、発射角度機構は、制御パネルによって電子的に制御される偏向部材である。
【００１０】
本発明の別の実施形態によれば、前記キャリングバッグは、遠方から与えられた制御コマンドを検知するように構成された１又は複数のセンサをさらに備える。本発明のさらに別の実施形態によれば、前記キャリングバッグは、電子計算デバイスと無線通信するように構成された無線通信モジュールをさらに備える。
【００１１】
本発明の別の実施形態によれば、前記キャリングバッグは、前記バッグの両側にある車輪と、前記キャリングバッグをカートのように運ぶための伸長可能なハンドルと、をさらに備える。本発明の別の実施形態によれば、前記キャリングバッグは、格納可能な「手押し車」型のハンドルをさらに備え、前記バッグを車輪で移動することを可能にする。本発明のさらに別の実施形態によれば、前記発射装置の前方放出セクションと前記バッグの車輪の軸との間の距離は、前記バッグが発射力に耐えることができるように、前記発射力の水平成分、及び前記バッグの重量を考慮して選択される。
【００１２】
本発明の実施形態によれば、前記キャリングバッグは、外部硬質ケースシャーシ構造と、外部構造に取り付けられ、前記発射装置及び前記ボール整理装置を所定の位置に保持し、前記区画の間を仕切り、前記バッグがつぶれることを防止する、内部構造と、前記区画のすべてを収容し、内部を進入から保護し、前記バッグを手で扱うための人間工学的手段を提供する、外部布と、を備える。本発明の別の実施形態によれば、前記キャリングバッグは、前記バッグを運び、手で扱うための布ストラップをさらに備える。本発明のさらに別の実施形態によれば、前記キャリングバッグは、地面との４接点の基部をさらに備える。
【図面の簡単な説明】
【００１３】
【図１Ａ】図１Ａは、本発明の実施形態によるテニス用具キャリングバッグの斜視図である。
【図１Ｂ】図１Ｂは、本発明の実施形態によるテニス用具キャリングバッグの斜視図である。
【図２】本発明の実施形態による、区画のカバーが取り外されている図１Ａのキャリングバッグの斜視図である。
【図３】本発明の実施形態による、図１Ａ及び図１Ｂのテニス用具キャリングバッグの切り欠き側面図を概略的に示す図である。
【図４】本発明の実施形態による電子制御パネルを概略的に示す図である。
【発明を実施するための形態】
【００１４】
ここで、本発明の実施形態を参照するが、その例は、単に例示のみを目的として添付の図面に示されている。当業者は、特許請求の範囲に記載された発明の原理から逸脱することなく、必要な変更を加えて、本明細書に示される構造及び方法の代替実施形態を採用し
てもよいことを、以下の説明から容易に認識するであろう。
【００１５】
図１Ａ及び図１Ｂは、本発明の実施形態によるテニス用具キャリングバッグ１０１のそれぞれ異なる斜視図を示す。キャリングバッグ１０１の外部は、ボール区画のカバー１０２、テニスラケット区画のカバー１０３、発射区画のカバー１０４、電子パネルのカバー１０５、車輪１０６及び車輪ブレーキ１０６ａ、ハンドル１０７並びにショルダストラップ１０８を備える。
【００１６】
図２は、本発明の実施形態による、カバー１０２、１０３、１０４、及び１０５が取り外されている図１Ａ及び図１Ｂのテニス用具キャリングバッグ１０１の斜視図を示す。複数のテニスボール２０１が、テニスボールホッパー区画２０２の内側に存在する。テニスボール２０１は、バッグ１０１の開口部２０３又は２０４を介して、区画２０２に挿入されてもよく、区画２０２から引き出されてもよい。同様に、複数のテニスラケット２０５は、取り外し可能な第２の内部テニスバッグ（テニスラケット区画２０８の内側に設けられる）の内側に部分的に示されており、バッグ１０１の開口部２０４を介して、その第２の内部テニスバッグに挿入されてもよく、その第２の内部テニスバッグから引き出されてもよい。キャリングバッグ１０１は、地面との４接点の基部をさらに備え、バッグが静止しているときとボールが発射されている間の両方で安定性を与える。
【００１７】
自動発射装置２０６は、自動発射装置区画２０７の内側に示されている。図３は、本発明の実施形態によるテニス用具キャリングバッグ１０１の切り欠き側面図を概略的に示す。テニスボールホッパー区画２０２の底部側の開口部２０９は、ボールが通路３０１を通って、発射装置２０６の後側の装填セクション３０１まで通過することを可能にする。本発明の実施形態によれば、自動発射装置２０６のパイプ型バレル３０３の直径は、ボールが１つだけそのバレルに入ることを許容するのに対して、開口部２０９及び通路３０１は、複数のボールが同時に通過してもよく、装填セクション３０２には、複数のボールが存在してもよい。本発明の別の実施形態によれば、通路３０１内にボールが詰まることを防止するために、電気的に回転可能なボール整理装置（図示せず）が、ボールの制御された装填のために設けられており、ユーザは、（例えば、明示的なコマンド受信時の）速度又はその他の条件を決定してもよく、その速度又はその他の条件で、ボールは、ボール整理装置によって、通り抜けで装填セクション３０２に送られる。
【００１８】
本発明の一実施形態によれば、自動発射装置２０６は、電気的に回転可能なフライホイール（図示せず）を備え、この電気的に回転可能なフライホイールは、作動すると回転して、装填セクション３０２に位置する単一のテニスボールが、バレル３０３から押し出されるようにする。フライホイールの回転エネルギーは、テニスボールの運動エネルギーに移され、その結果、ボールが加速され、所定の速度でバレルを通して放出される。本発明の他の実施形態では、自動発射装置２０６は、異なる発射装置（例えば、空気圧）を備える。前述の回転可能なフライホイールは、本質的に例示的なものであり、本発明は、特定の発射装置に限定されない。
【００１９】
図４は、本発明の実施形態による電子制御パネル４００を概略的に示す。制御パネル４００は、図１Ｂに示される電子パネルカバー１０５の後ろに位置し、電源（図３の数字３０３）に接続されている。矢印ボタン４０１ａ〜４０１ｄ及び選択ボタン４０２を使用して、ユーザは、画面４０３に提示されているものに応じて自動発射装置２０６の動作を制御してもよい。例えば、ユーザは、発射装置２０６に３秒ごとに１回、又は固定された若しくは固定されていない時間間隔１つおきに１回、ボールを装填するように、電気的に制御されたボール整理装置を設定してもよく、各ボールが発射される速度を設定してもよい。
【００２０】
本発明の実施形態によれば、ボールがバレル３０３から放出される方向は、キャリングバッグ１０１の水平の向き、及び機械的な発射角度機構（図示せず）によって決定される。本発明の別の実施形態によれば、電子的に制御される偏向部材（図２の数字２１０）が、バレル３０３の前方放出側に隣接して設けられる。作動すると、バレル３０３の前方側から放出されたボールは、偏向部材２１０に引っ掛かって、それにより、方向を変えられる。この実施形態では、制御パネル４００は、偏向部材２１０の作動及び向きを制御するように適合されており、それにより、様々な方向でボールの狙いをつけることを可能にする。
【００２１】
本発明の一実施形態によれば、バッグ１０１は、遠方から与えられた制御コマンドを検知するように構成された１又は複数のセンサ（図示せず）をさらに備える。センサには、声若しくは音のコマンド（例えば、テニスボールを打つラケットの音）を検知するための音センサ、コマンド（例えば、所定のハンドジェスチャ）を視覚的に検知するための視覚センサ、及び／又は制御コマンドの検知に適したその他の任意のセンサが含まれる。したがって、バッグ１０１は、その１又は複数のセンサからのデータを処理するのに適した処理要素をさらに備える。
【００２２】
本発明の別の実施形態によれば、バッグ１０１は、電子計算デバイス（例えば、スマートフォン、ＰＤＡ、タブレットなど）と無線通信して、そこからコマンドを受信し、トレーニング関連データ（例えば、トレーニングセッションの概要）を送信するように構成された、無線通信モジュールをさらに備える。
【００２３】
予め設定された発明の実施形態によれば、キャリングバッグ１０１の上記の詳述した特徴を可能にするために、バッグ１０１は、バッグ１０１の内容物を支持するとともにバッグに剛性を与えることができる、繊維強化熱可塑性プラスチックで作られた硬質外部プラスチックケース外骨格を備える。次に、内部機構は、バッグ１０１のシャーシ（外部ケース）に固定されている内部構造によって、所定の位置に保持されている。内部構造は、内部要素を所定の位置（例えば、発射装置２０６）に保持し、バッグ１０１の容積をセグメント化することにより、区画仕切りとして機能する。本発明の実施形態によれば、構造材料は、全体の質量がエンドユーザによって扱いやすい（すなわち、軽量である）必要があることから、金属類ではなく強化ポリマー類であろう。
【００２４】
本発明の実施形態によれば、「手押し車」型のハンドル１０７が、伸縮アーム（図示せず）に接続され、ハンドル１０７を、その最初の非伸長位置（図に示す）から、ハンドルが最初の非伸長位置よりも車輪１０６から離れている伸長位置へ、前後に移動することが可能となっている。この実施形態では、キャリングバッグ１０１は、ショルダストラップ１０８、又は例えばカバー１０２と１０３の間に追加され得る、その他の任意のハンドルによって運ばれることに加えて、スーツケース及び旅行かばんと同様の方法でカートのように運ばれてもよい。
【００２５】
以下は、テニス用具キャリングバッグの例示的な実施形態であり、その構築の詳細及びその制約は、テニスコートの一方の側から他方の側へボールを発射する必要性、及びボール発射力に耐える必要性から生じる。明らかに、以下で与える特定の値は、本質的に例示的であり、説明のために与えられる。明らかに、本発明は、これらの値に限定されず、特許請求の範囲を超えることなく他の値で実施され得る。
【００２６】
本発明によるキャリングバッグの構築における主な考慮の１つは、ボールを発射している間、バッグが直立姿勢で維持され、かつ発射の結果としての転倒が防止される方法である。発射装置（例えば２０６）が、毎分約２５００回転（ｒｐｍ）の速度で回転するフライホイールを備え、６０グラム未満のテニスボールを地面から上に１５〜２５度の傾斜が
ある少なくとも２０メートルの距離まで発射するように構成されていると仮定すると、テニスボールにかかる力は、２５０〜３００ニュートン（Ｎ）になる。バレル３０３の前方放出側と車輪２０６の軸との間の距離ｄｘは、発射力ＦＬｘの水平成分、及び車輪が耐えることができる抵抗力の量を定めるバッグの重量を考慮して、バッグが発射力に耐えることができるように選択される。例えば、距離ｄｘは、重さが５キログラム（ｋｇ）のバッグで、重心が地上３５１ｍｍかつバレルの前側から１７１ｍｍに位置する場合、３１０ミリメートル（ｍｍ）であってもよい。
【００２７】
電源３０３は、十分な時間にわたって様々な電動部品に電力を供給するために必要とされる。したがって、発射装置及び本発明の様々な実施形態で提供されるその他の任意の電動部品（例えば、電子的に制御される偏向部材、センサ、処理要素、無線通信モジュールなど）に電力を供給するために、１２アンペア時（Ａｈ）１２ボルト（Ｖ）の電池が、使用されてもよい。
【００２８】
本発明の実施形態を例示として説明してきたが、本発明は、特許請求の範囲を超えることなく、多くの変形、変更、及び適合がされて実施され得ることが理解されよう。
【図１Ａ】
2021504092.tif 000003
【図１Ｂ】
2021504092.tif 000004
【図２】
2021504092.tif 000005
【図３】
2021504092.tif 000006
【図４】
2021504092.tif 000007
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
テニス・トレーニング・キャリングバッグであって、
スポーツ用具を収容するのに適した複数の区画と、
前記キャリングバッグから離れた所へテニスボールを発射するように構成された自動発射装置と、
を備え、
前記キャリングバッグは、
ａ．複数のテニスボールを収容するのに適したテニスボールホッパー区画であって、前記テニスボールホッパー区画の底部側に開口部を有する、テニスボールホッパー区画と、
ｂ．前記自動発射装置を収容する、自動発射装置区画と、
ｃ．制御された態様で前記自動発射装置の装填側にテニスボールを装填するための、ボール整理装置と、
を備え、
前記自動発射装置は、装填セクション及び放出セクションを備え、
テニスボールは、前記ボール整理装置によって、前記テニスボールホッパー区画の前記底部側の開口部から、前記自動発射装置の前記装填セクションに、自動的に送られて、前記装填セクションから、前記放出セクションを通って、離れた所へ、自動的に発射される、
テニス・トレーニング・キャリングバッグ。
【請求項２】
前記自動発射装置は、電気的に回転可能なフライホイールを備える、
請求項１に記載のキャリングバッグ。
【請求項３】
前記自動発射装置からボールが発射される方向を決定するように構成された、発射角度機構をさらに備える、
請求項１に記載のキャリングバッグ。
【請求項４】
前記自動発射装置及び前記ボール整理装置の、動作を制御するのに適した制御パネルをさらに備える、
請求項３に記載のキャリングバッグ。
【請求項５】
前記発射角度機構は、前記制御パネルによって電子的に制御される偏向部材である、
請求項４に記載のキャリングバッグ。
【請求項６】
遠方から与えられた制御コマンドを検知するように構成された１又は複数のセンサをさらに備える、
請求項５に記載のキャリングバッグ。
【請求項７】
電子計算デバイスと無線通信するように構成された無線通信モジュールをさらに備える、
請求項６に記載のキャリングバッグ。
【請求項８】
前記バッグの両側にある車輪と、
前記キャリングバッグをカートのように運ぶための伸長可能なハンドルと、
をさらに備える、
請求項１に記載のキャリングバッグ。
【請求項９】
Ａ．前記複数の区画及び前記自動発射装置の外部にあり、硬質ケースシャーシ構造である、外部構造と、
Ｂ．前記外部構造に取り付けられ、前記発射装置及び前記ボール整理装置を所定の位置に保持し、前記区画の間を仕切り、前記バッグがつぶれることを防止する、内部構造と、
Ｃ．前記区画のすべてを収容し、内部を進入から保護し、前記バッグを手で扱うための人間工学的手段を提供する、外部布と、
を備える、
請求項１に記載のキャリングバッグ。
【請求項１０】
格納可能な「手押し車」型のハンドルをさらに備える、前記バッグを車輪で移動することを可能にする、
請求項１に記載のキャリングバッグ。
【請求項１１】
前記バッグを運び、手で扱うための布ストラップをさらに備える、
請求項１に記載のキャリングバッグ。
【請求項１２】
地面との４接点の基部をさらに備える、
請求項１に記載のキャリングバッグ。
【請求項１３】
前記発射装置の前記放出セクションと前記バッグの車輪の軸との間の距離は、前記バッグが発射力に耐えることができるように、前記発射力の水平成分、及び前記バッグの重量を考慮して選択される、
請求項８に記載のキャリングバッグ。
【請求項１４】
前記ボール整理装置は、前記テニスボールのうち１つを、前記ボールホッパー区画から、前記自動発射装置の前記装填セクションに、自動的に送るように構成されている、
請求項１に記載のキャリングバッグ。
【請求項１５】
前記発射装置は、テニスコートの一方の側から他方の側へボールを発射するように構成されている、
請求項１に記載のキャリングバッグ。
【請求項１６】
前記複数の区画は、取り外し可能な第２の内部テニスバッグ内に１又は複数のテニスラ
ケットを収容するのに適した、テニスラケット区画を備える、
請求項１に記載のキャリングバッグ。
【請求項１７】
前記キャリングバッグを運べるようにするショルダストラップをさらに備える、
請求項１に記載のキャリングバッグ。
【国際調査報告】
2021504092.tif 000008
2021504092.tif 000009